【手続補正書】
【提出日】平成23年1月18日(2011.1.18)
【手続補正１】
【補正対象書類名】明細書
【補正対象項目名】００１９
【補正方法】変更
【補正の内容】
【００１９】
第１のバイポーラ導電コード１６および第２のバイポーラ導電コード１８は、第１の挟み部１２および第２の挟み部１４の近位端２８、２８’に連結される。２本のコード１６、１８は、同一の構造のものである。したがって、第１のコード１６のみの構造が、詳細に説明される。第１のコード１６の説明に使用される同じ参照番号はまた、第２のコード１８の構成要素部品を表示するのにも使用されるが、第２のコード１８の構成部分を表示する参照番号は、ダッシュ記号（’）によって補われる。コード１６の構造は、ほとんど従来のものである。コードは、絶縁体層３８によって覆われた導電ワイヤ３６を含有する。ワイヤ３６の遠位端４２は、絶縁体層３８から延び、挟み部の近位端２８に電気的に接続される。図３を参照すると、ワイヤ３６の遠位端４２は、挟み部の近位端２８内の穴４４から挿入されて圧着され、それによってコード１６が挟み部１２に機械的かつ電気的に固定される。コード１６は、挟み部１２からコードの近位端の電気コネクタ４６まで延びる可撓性の細長い長手部を有する。コード１６、１８のこの長手部により、電気コネクタ４６、４６’が電源に接続されたときに外科医の手によって挟み部１２、１４が容易に操作されることが可能になる。最大限の可撓性をもたせるために、高いストランド数のワイヤがコード１６に使用される。ワイヤ１６を挟み部の近位端２８上に圧着することにより、コード上の取り外し可能なプラグに費やすコストが解消され、また、従来の連結ピンを挟み部１２のアルミニウムに取り付けることに伴う製造の困難さが克服される。
【手続補正２】
【補正対象書類名】明細書
【補正対象項目名】００２１
【補正方法】変更
【補正の内容】
【００２１】
ベース２０は、挟み部の近位端２８、２８’を互いに固定して連結させ、さらに、ワイヤの遠位端４２、４２’を挟み部の近位端２８、２８’に固定する。ベースは、中空の内部を有するカップ形状のキャップ４８からなる。可撓性の電気絶縁材料、好ましくはビニールが、キャップの構築に使用される。カップ形状のキャップの底部には、１対の穴が設けられる。コード１６、１８は、キャップの内部および穴を通り抜けており、キャップ４８は、挟み部１２、１４の近位端２８、２８’に圧着されたコードワイヤ３６、３６’の遠位端４２、４２’の上方に配置される。キャップ４６の内部は、挟み部１２、１４をその相対的位置で挟み部の近位端２８、２８’において固定して保持し、コード１６、１８を挟み部に固定して保持するエポキシ材料５２で封止される。このようにして、挟み部１２、１４およびコード１６、１８は、一体型の使い捨ての電気外科装置として形成される。フォーセプスとコードの間に取り外し可能なプラグコネクタを設けるコストが、解消される。コード１６、１６’は、キャップ４８の（外科医の手に保持される）底部または後部を起点として、フォーセプスの後部において望ましくないトルクが生成するのを回避するように外科医の腕の方向に自然に流れる。それに対して、ほとんどすべての再使用可能なフォーセプスは、フォーセプスの後部から真直ぐに出る終端を有する。このコードは、一般的な再使用可能なフォーセプスに取り付けられるとき、外科医の手における器具のバランスに悪影響を及ぼす。
【手続補正３】
【補正対象書類名】特許請求の範囲
【補正対象項目名】全文
【補正方法】変更
【補正の内容】
【特許請求の範囲】
【請求項１】
各挟み部が、片方の手で保持されるように成形され寸法設定された中間の本体部分を有し、各挟み部が、互いに固定された近位端部分と、本体部分から挟み部のとがっている端部の先端まで延びる遠位端部分とを挟み部の本体部分の両端に有する、アルミニウムからなる第１および第２の細長い挟み部と、
生体適合性金属の各層が純金属からなり、各層が０．０１０インチ未満の厚さを有し、それによってフォーセプスを使い捨てにすることを可能にする、各挟み部のとがっている端部の先端のアルミニウム上だけにある単一の生体適合性金属の層とを備える、使い捨ての組織難付着性を有するフォーセプス。
【請求項２】
厚さが０．０００５インチから０．００５インチの範囲である、各挟み部の
とがっている端部の先端上の生体適合性金属の層をさらに含む、請求項１に記載のフォーセプス。
【請求項３】
純銀である生体適合性金属をさらに含む、請求項２に記載のフォーセプス。
【請求項４】
純金である生体適合性金属をさらに含む、請求項２に記載のフォーセプス。
【請求項５】
第１および第２の挟み部の近位端部分および遠位端部分がコーティングから露出されている、第１および第２の挟み部の中間本体部分を覆う電気絶縁コーティングをさらに含む、請求項１に記載のフォーセプス。
【請求項６】
各々が近位端および遠位端である両端を備えた細長い可撓性の長手部を有する１対の第１および第２の導電コードであって、第１および第２のコードの遠位端が、第１および第２の挟み部のそれぞれの近位端部分に永久的に固定され、第１および第２のコードの近位端が、その上に電気コネクタを有する、導電コードをさらに備える、請求項５に記載のフォーセプス。
【請求項７】
第１および第２の挟み部の近位端部分と、第１および第２のコードの遠位端とを封入する電気絶縁材料のベースをさらに備える、請求項６に記載のフォーセプス。
【請求項８】
０．００５インチ以下である、各挟み部の先端上の生体適合性金属の層をさらに含む、請求項１に記載のフォーセプス。
【請求項９】
各挟み部が、片方の手で保持されるように成形され寸法設定された中間の本体部分を有し、各挟み部が、互いに固定された近位端部分と、遠位端部分とを挟み部の本体部分の両端に有する、アルミニウムからなる第１および第２の細長い挟み部と、
それぞれの第１および第２の挟み部の遠位端部分上の第１および第２の先端であって、第１および第２の先端の各々が挟み部の第１および第２の先端のアルミニウム上だけにある単一の生体適合性金属の層からなり、生体適合性金属の層が０．０１０インチ以下の厚さを有する第１および第２の先端とを備える、使い捨ての組織難付着性を有するフォーセプス。
【請求項１０】
厚さが０．００２インチから０．００５インチの範囲である各々の先端の生体適合性金属の層をさらに含む、請求項９に記載のフォーセプス。
【請求項１１】
純銀である生体適合性金属をさらに含む、請求項９に記載のフォーセプス。
【請求項１２】
純金である生体適合性金属をさらに含む、請求項９に記載のフォーセプス。
【請求項１３】
第１および第２の挟み部の近位端部分および遠位端部分がコーティングから露出されている、第１および第２の挟み部の中間本体部分を覆う電気絶縁コーティングをさらに含む、請求項９に記載のフォーセプス。
【請求項１４】
第１および第２の挟み部の近位端部分を封入する電気絶縁材料のベースをさらに備える、請求項９に記載のフォーセプス。
【請求項１５】
各挟み部が、片方の手で保持されるように成形され寸法設定された中間の本体部分を有し、各挟み部が、近位端部分と、遠位端部分とを挟み部本体部分の両端に有する、アルミニウムからなる第１および第２の細長い挟み部と、
第１および第２の挟み部の中間本体部分を覆う電気絶縁材料のコーティングと、
第１の挟み部の遠位端部分のアルミニウム上だけにある単一の生体適合性金属の第１の層、および第２の挟み部の遠位端部分のアルミニウム上だけにある単一の生体適合性金属の第２の層であって、０．０１０インチ以下の、第１および第２の挟み部のそれぞれの遠位端部分のアルミニウム上の厚さを各々が有する第１および第２の層とを備える、使い捨ての組織難付着性を有するフォーセプス。
【請求項１６】
それぞれの第１および第２の挟み部に永久的に連結された第１および第２のバイポーラコードであって、挟み部からのコード長手部の両端において、挟み部から電気コネクタまで延びる可撓性の細長い長手部を有するバイポーラコードをさらに備える、請求項１５に記載のフォーセプス。
【請求項１７】
厚さが０．００２インチから０．００５インチの範囲である、各挟み部の先端上の生体適合性材料の層をさらに含む、請求項１５に記載のフォーセプス。